(57)【要約】【課題】  コンサートの演出あるいはオペラの演出のいずれにも望ましい大きさになる舞台を有する空間を現出し得るようにする。【解決手段】  上方に所定の設備を有する舞台空間１と、多数の客席を有しながら舞台空間１の前側から舞台空間１に対向する固定空間たる主客席空間２と、多数の客席を有しながら舞台空間１の奥側から舞台空間１に対向する移動空間たる副客席空間３とを有してなり、主客席空間２が音響空間とされながら舞台空間１の前側に近接する前方側に小舞台用スペース２１を有し、副客席空間３が音響空間とされながら舞台空間１の奥側に近接する前方側に小舞台用スペース３１を有し、副客席空間３が前進して舞台空間１なくして主客席空間２に近隣するときに上記の両方の小舞台用スペース２１，３１が合体されて舞台空間１より小さい小舞台空間４が形成され、副客席空間３が後退して主客席空間２から離反するときに上記の小舞台空間４が解消されて両者間に舞台空間１が出現される。【選択図】        図１
2006257785.tif 000002
【特許請求の範囲】
【請求項１】
上方に所定の設備を有する舞台空間と、多数の客席を有しながら舞台空間の前側から舞台空間に対向する固定空間たる主客席空間と、多数の客席を有しながら舞台空間の奥側から舞台空間に対向する移動空間たる副客席空間とを有してなる劇場構造において、主客席空間が音響空間とされながら舞台空間の前側に近接する前方側に小舞台用スペースを有すると共に、副客席空間が音響空間とされながら舞台空間の奥側に近接する前方側に小舞台用スペースを有してなり、副客席空間が前進して舞台空間なくして主客席空間に近隣するときに上記の両方の小舞台用スペースが合体されて舞台空間より小さい小舞台空間が形成されると共に、副客席空間が後退して主客席空間から離反するときに上記の小舞台空間が解消されて両者間に舞台空間が出現されてなることを特徴とする劇場構造
【請求項２】
副客席空間の前方側に画成される小舞台用スペースが副客席空間における床の一部とされる一方で、主客席空間の前方側に画成される小舞台用スペースがオケ迫り装置における上面床とされてなる請求項１に記載の劇場構造
【請求項３】
舞台空間における舞台床が舞台迫り装置における上面床とされてなる請求項１に記載の劇場構造
【請求項４】
舞台空間と後退状態にある副客席空間との間に奥舞台空間が配在されてなる請求項１に記載の劇場構造
【請求項５】
舞台空間の脇側に袖舞台空間が隣設されてなる請求項１に記載の劇場構造
【発明の詳細な説明】
【技術分野】
【０００１】
この発明は、劇場構造に関し、特に、コンサートホール形式およびオペラホール形式への相互変更を可能にする劇場構造の改良に関する。
【背景技術】
【０００２】
たとえば、特許文献１には、多数の客席を有して昇降可能とされた主たる客席空間が回転可能な舞台空間に近隣する一方で、舞台空間がその一部に多数の客席、すなわち、客席群を有してなるとする劇場構造が開示されている。
【０００３】
それゆえ、この劇場構造にあっては、主たる客席空間に舞台空間における客席群を対向させるとき、主たる客席空間と客席群とで舞台空間において言わば残部となる舞台を挟む空間を現出でき、主たる客席空間を上昇させる一方で舞台空間を回転させて主たる客席空間前に客席群を照準させて整列させるとき、一方側から上記の舞台を観る空間を現出できることになる。
【０００４】
すなわち、特許文献１に開示の劇場構造にあっては、主たる客席空間の昇降を必須にするが、舞台空間を回転することで、コンサートホール形式の空間とオペラホール形式の空間との相互変更を容易に実践し得ることになる。
【特許文献１】特開平１１−１９０１３９号公報（特許請求の範囲  請求項１，段落００３１から同００３３，図２，図３）
【発明の開示】
【発明が解決しようとする課題】
【０００５】
しかしながら、上記した特許文献１に開示の劇場構造にあっては、望ましい大きさの舞台を有した空間を現出するのが困難になると指摘される可能性がある。
【０００６】
すなわち、上記の劇場構造にあって、舞台空間は、あらかじめ客席群、すなわち、多数の客席を有していて、残部をいわゆる舞台にしている。
【０００７】
それゆえ、上記の劇場構造にあっては、主たる客席空間に客席群を対向させるコンサートホール形式の空間における舞台と、主たる客席空間に客席群を順列させるオペラホール形式の空間における舞台は、それぞれ同じ大きさになる。
【０００８】
このことからすると、上記の劇場構造にあっては、比較すると広い舞台が必要になるオペラの演出を保障すると、狭い舞台で足りるコンサートの演出には大き過ぎ、逆に、コンサートの演出を保障すると、オペラの演出を困難にすることになり、結果的には、コンサートの演出あるいはオペラの演出のいずれにも望ましい大きさになる舞台を有した空間を現出するのが困難になる。
【０００９】
この発明は、上記した事情を鑑みて創案されたものであって、その目的とするところは、コンサートあるいはオペラの演出のいずれにも望ましい大きさになる舞台を有した空間を現出することを可能にして、その汎用性の向上を期待するのに最適となる劇場構造を提供することである。
【課題を解決するための手段】
【００１０】
上記した目的を達成するために、この発明による劇場構造の構成を、基本的には、上方に所定の設備を有する舞台空間と、多数の客席を有しながら舞台空間の前側から舞台空間に対向する固定空間たる主客席空間と、多数の客席を有しながら舞台空間の奥側から舞台空間に対向する移動空間たる副客席空間とを有してなる劇場構造において、主客席空間が音響空間とされながら舞台空間の前側に近接する前方側に小舞台用スペースを有すると共に、副客席空間が音響空間とされながら舞台空間の奥側に近接する前方側に小舞台用スペースを有してなり、副客席空間が前進して舞台空間なくして主客席空間に近隣するときに上記の両方の小舞台用スペースが合体されて舞台空間より小さい小舞台空間が形成されると共に、副客席空間が後退して主客席空間から離反するときに上記の小舞台空間が解消されて両者間に舞台空間が出現されてなるとする。
【００１１】
そして、より具体的には、副客席空間の前方側に画成される小舞台用スペースが副客席空間における床の一部とされる一方で、主客席空間の前方側に画成される小舞台用スペースがオケ迫り装置における上面床とされてなるとし、また、舞台空間における舞台床が舞台迫り装置における上面床とされてなるとする。
【００１２】
さらに、舞台空間と後退状態にある副客席空間との間に奥舞台空間が配在されてなり、また、舞台空間の脇側に袖舞台空間が隣設されてなるとするのが好ましい。
【発明の効果】
【００１３】
それゆえ、この発明にあっては、副客席空間が前進して主客席空間に近隣するときに両者間に小舞台空間を形成するから、この小舞台空間をコンサートの演出に利用するのに向き、客席が舞台を囲むいわゆるワインヤード（階段状の葡萄畑）風の舞台空間を現出することが可能になる。
【００１４】
そして、この発明にあっては、副客席空間が後退して主客席空間から離反するときに両者間にあって上記の小舞台空間が解消されると共にいわゆる旧状に復することになるから、両者間に改めて舞台空間が現出されることになる。
【００１５】
このとき、後退して所定位置に格納される副客席空間については、昇降カーテンなどの展幕手段で目隠しされるのが良く、副客席空間が目隠し状態におかれるから、片側にのみ客席が配在されるオペラホール形式の舞台空間を現出することが可能になる。
【００１６】
その結果、この発明によれば、コンサートあるいはオペラの演出のいずれにも望ましい大きさの舞台空間を現出することが可能になり、その汎用性の向上を期待するのに最適となる。
【発明を実施するための最良の形態】
【００１７】
以下に、図示した実施形態に基づいて、この発明を説明するが、この発明による劇場構造は、図１および図２に示すように、舞台空間１と、主客席空間２と、副客席空間３とを有してなり、図３および図４に示すように、副客席空間３が前進して主客席空間２に近隣するときに両者２，３間に小舞台空間４が出現されると共に、副客席空間３が後退して主客席空間２から離反するときに両者２，３間に舞台空間１が出現されるとしている。
【００１８】
舞台空間１は、上方の簀の子１０に吊持されるバトン装置１１などの所定の設備を有していて、この設備によってこの舞台空間１における、たとえば、オペラの演出効果を高めることを可能にすると共に、オペラにおける出演者や舞台技術者などの人を立ち入らせ、また、大道具や小道具などの物を配在させる空間であって、要は、いわゆる舞台となる広さを確保できるものであれば、任意の構成が選択されて良い。
【００１９】
そして、図示するところでは、この舞台空間１における舞台床が舞台迫り装置１２における上面床とされてなるとし、このとき、この舞台迫り装置１２は、いわゆる細分化された各上面床を同期させてあるいは時間差で昇降させるとしている。
【００２０】
また、この舞台空間１は、図中で右側となる奥側に奥舞台空間５を隣設させてなるとし、図中で上下側となる脇側に袖舞台空間６を隣設させてなるとしており、このとき、奥舞台空間５が、たとえば、回り舞台５０を有して、舞台空間１への移動を可能にする移動ステージからなるとし、袖舞台空間６は、舞台空間１における迫り上への移動を可能にするワゴン装置（符示せず）からなるとしている。
【００２１】
ちなみに、図示するところでは、舞台空間１および奥舞台空間５は、後述する副客席空間３の移動を可能にするレール部１ａ，５ａを有してなるとし、このとき、このレール部１ａ，５ａは、いわゆる迫り構造に形成されていて、特に、副客席空間３が前進するために上面を移動するときには、舞台利用時の位置となる標準高さ位置より下降されるとしている（図３参照）。
【００２２】
つぎに、主客席空間２は、後述する副客席空間３との比較からすれば、図示しないこの劇場構造を具現化する建築物における固定空間からなるとしており、上記した舞台空間１の図中で左側となる前側からこの舞台空間１に対向する多数の客席（図示および符示せず）を有してなり、さらに、図示するところでは、音響空間に設定されてなるとして、舞台空間１で実演されるオペラやコンサートにおける音質効果が高められるとしている。
【００２３】
このとき、この主客席空間２は、この発明にあって、舞台空間１の前側に近接するこの主客席空間２の図中で右側となる前側に画成される小舞台用スペース２１を有すると共に、この小舞台用スペース２１がオケ迫り装置２２における上面床とされてなるとしている。
【００２４】
それゆえ、この小舞台用スペース２１は、これがオーケストラピットとして利用されるときには、オケ迫り２２の上面床が主客席空間２において最前列となる客席の足元の床よりも低い位置に位置決められる（図１参照）ことになって、言わば観客の視界に入らないことが予定されるとしている。
【００２５】
それに対して、図３に示すように、この小舞台用スペース２１が小舞台空間４を形成するときには、オケ迫り２２の上面床が主客席空間２における最前列の客席の足元となる床の高さと同一の高さ位置に位置決められるようにいわゆるリフトアップされ（図２参照）、当然のことながら、演奏者が観客の視界に入ることを予定している。
【００２６】
ちなみに、上記の小舞台用スペース２１が後述する副客席空間３側における小舞台用スペース３１と合体して小舞台空間４を形成する限りには、この小舞台用スペース２１の高さ位置については、自由に設定されて良く、上記したところに代えて、最前列の客席の足元より高くなり、あるいは、最前列の客席の足元より低いままに維持されるとしても良いことはもちろんである。
【００２７】
一方、副客席空間３は、前記した主客席空間２と比較すれば、この劇場構造を具現化する建築物における移動空間からなるとしており、上記した舞台空間１の図中で右側となる奥側からこの舞台空間１に対向する多数の客席（図示および符示せず）を有してなり、さらに、図示するところでは、音響空間に設定されてなるとしている。
【００２８】
このとき、この副客席空間３は、この発明にあって、舞台空間１の奥側に近接する図中で左側となるその一部たる前方側に画成される小舞台用スペース３１を有してなるとしている。
【００２９】
ところで、この副客席空間３の移動については、任意の移動手段が採用されて良いが、図示するところでは、舞台空間１と格納空間３ａとの間に奥舞台空間５を有し、この奥舞台空間５および舞台空間１がそれぞれレール部１ａ，５ａを有するとするから、副客席空間３の移動には、このレール部１ａ，５ａを利用する手段が選択されることになるであろう。
【００３０】
また、この副客席空間３は、図示するところでは、奥舞台空間５に隣設されていて、言わばこの奥舞台空間５越しに舞台空間１上に移動して主客席空間２に近隣対向するとしているが、この副客席空間３が機能するところからすれば、これが袖舞台空間６の位置にあって、この袖舞台空間６側から舞台空間１上に移動するとしても良いことはもちろんである。
【００３１】
それゆえ、上記したこの発明にあって、不使用時に後退して所定の格納エリア３ａにある副客席空間３が、適宜の移動手段で前進して舞台空間１に位置決められことで、その小舞台用スペース３１を主客席空間２における小舞台用スペース２１に合体させ、小舞台空間４を現出させることになる。
【００３２】
このとき、この小舞台空間４は、主客席空間２と副客席空間３がとの間に現出されるから、この小舞台空間４を利用したコンサートの開催などが可能になり、客席が舞台を囲むいわゆるワインヤード風の舞台空間を現出することが可能になる。
【００３３】
そして、不使用時には、後退して所定の格納エリア３ａに位置決められ、このとき、上記の小舞台空間４が消滅すると共に、この副客席空間３がなくしていた舞台空間１を旧状に復帰させる、すなわち、現出させることになる。
【００３４】
そしてまた、この所定の格納エリア３ａに副客席空間３が位置決められている状態は、主客席空間２における観客からの視線を遮るように、たとえば、昇降カーテンなどの展幕手段３２で目隠しされるのが良く、副客席空間３が目隠し状態におかれるから、片側にのみ客席が配在されるオペラホール形式の舞台空間を現出することが可能になる。
【００３５】
前記したところでは、舞台空間１と副客席空間３との間に奥舞台空間５が配在され、また、舞台空間１に袖舞台空間６が隣設されてなるとしたが、これは、この種の劇場構造にあっては、多くの場合に、舞台空間１に奥舞台空間５や袖舞台空間６を隣設させるであろうからであり、この発明が意図するところからすれば、奥舞台空間５や袖舞台空間６は、この発明の具現化に絶対に必要な要素ではない。
【００３６】
そして、前記したところでは、副客席空間３がいわゆる平面領域となる二次元領域で移動するとしたが、この発明の意図するところからすれば、縦方向を含む三次元領域で副客席空間３が移動するとしても良いことはもちろんである。
【図面の簡単な説明】
【００３７】
【図１】この発明による劇場構造を平面視で原理的に示す図である。
【図２】図１に示すところを縦断面で示す図である。
【図３】図１に示す劇場構造にあって副客席空間が移動した状態を図１と同様に示す図である。
【図４】図３に示す劇場構造の縦断面を図２と同様に示す図である。
【符号の説明】
【００３８】
１  舞台空間
２  主客席空間
３  副客席空間
４  小舞台空間
５  奥舞台空間
６  袖舞台空間
１２  舞台迫り装置
２１，３１  小舞台用スペース
２２  オケ迫り装置
５０  回り舞台
【図１】
2006257785.tif 000003
【図２】
2006257785.tif 000004
【図３】
2006257785.tif 000005
【図４】
2006257785.tif 000006